(57)【要約】【課題】ポンプ及びポンプ系統の異常の発生の有無を正確に判定できる異常検出装置、汚水搬送ポンプ装置及び監視装置を提供する。【解決手段】流入管１１から流入した汚水を貯留する貯水部１２と、貯水部１２に貯留された汚水を流出管１３に排水する複数台のポンプ１４，１６と、貯水部１２に貯留された汚水の水位を計測する水位計１８，１９と、計測された水位がポンプ起動水位に達すると何れかのポンプを起動し、水位がポンプ停止水位に達すると当該ポンプを停止する汚水搬送制御を実行する制御部２１とを備えている汚水搬送ポンプ装置１０の異常検出装置３０であって、各ポンプ１４，１６の運転時の特性値を記憶する記憶部２２と、記憶部２２に記憶された特性値から所定起動回数当りの平均特性値を算出して、各ポンプの平均特性値の比較結果に基づいてポンプの異常の有無を判定する異常判定部２３と、を備えている。【選択図】図２
2015034513.tif 000002
【特許請求の範囲】
【請求項１】
流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部とを備えている汚水搬送ポンプ装置の異常検出装置であって、
各ポンプの運転時の特性値を記憶する記憶部と、前記記憶部に記憶された特性値から所定起動回数当りの平均特性値を算出して、各ポンプの平均特性値の比較結果に基づいてポンプの固有の系統または共通の系統の異常の有無を判定する異常判定部とを備えている異常検出装置。
【請求項２】
前記異常判定部は、各ポンプの平均特性値の差分が所定の差分閾値を超える場合に、平均特性値が大きいポンプ固有の系統に異常が発生していると判定する請求項１記載の異常検出装置。
【請求項３】
前記異常判定部は、何れかのポンプ固有の系統に異常が発生していると判定すると、当該異常判定情報を前記制御部に出力する請求項２記載の異常検出装置。
【請求項４】
前記異常判定部は、各ポンプの平均特性値が全て所定の平均特性閾値を超える場合に、各ポンプ共通の系統に異常が発生していると判定する請求項１から３の何れかに記載の異常検出装置。
【請求項５】
流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部とを備え、共通の汚水搬送管の上流から下流に沿って複数設置された汚水搬送ポンプ装置の異常検出装置であって、
各ポンプの運転時の特性値を記憶する記憶部と、前記記憶部に記憶された特性値から所定起動回数当りの平均特性値を算出して、異なる汚水搬送ポンプ装置に設置された各ポンプの平均特性値の比較結果に基づいて異なる汚水搬送ポンプ装置間でポンプの固有の系統または共通の系統の異常の有無を判定する異常判定部とを備えている異常検出装置。
【請求項６】
前記異常判定部は、異なる汚水搬送ポンプ装置間で各ポンプの平均特性値の差分が所定の差分閾値を超える場合に、平均特性値が大きいポンプ固有の系統に異常が発生していると判定する請求項５記載の異常検出装置。
【請求項７】
前記異常判定部は、何れかのポンプ固有の系統に異常が発生していると判定すると、異常判定された汚水搬送ポンプ装置の制御部に当該異常判定情報を出力する請求項６記載の異常検出装置。
【請求項８】
前記異常判定部は、各ポンプの平均特性値が全て所定の平均特性閾値を超える場合に、各ポンプ共通の系統に異常が発生していると判定する請求項５から７の何れかに記載の異常検出装置。
【請求項９】
前記異常判定部は、一の汚水搬送ポンプ装置の各ポンプの平均特性値が全て所定の平均特性閾値未満であり、一の汚水搬送ポンプ装置の下流側または上流側の汚水搬送ポンプ装置の各ポンプの平均特性値が全て所定の平均特性閾値を超える場合に、上流側のポンプ共通の系統の始点から下流側のポンプ共通の系統の終点までの何処かの共通の系統で異常が発生していると判定する請求項５から８の何れかに記載の異常検出装置。
【請求項１０】
前記特性値が、ポンプ運転時間またはポンプ駆動電流である請求項１から９の何れかに記載の異常検出装置。
【請求項１１】
請求項１から４の何れかに記載の異常検出装置が組み込まれている汚水搬送ポンプ装置。
【請求項１２】
流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部と、前記制御部による制御情報を外部に送信する送信部を備えている汚水搬送ポンプ装置に対して、前記送信部から送信された制御情報を受信する受信部を備え、前記受信部で受信された制御情報に基づいて汚水搬送ポンプ装置を監視する監視装置であって、
請求項１から１０の何れかに記載の異常検出装置が組み込まれ、前記受信部で受信された制御情報に含まれる各ポンプの運転時の特性値が前記記憶部に記憶されるように構成されている監視装置。
【発明の詳細な説明】
【技術分野】
【０００１】
本発明は、異常検出装置、汚水搬送ポンプ装置及び監視装置に関し、特に、流入管から流入した汚水を貯留する貯水部と、貯水部に貯留された汚水を流出管に排水する複数台のポンプと、貯水部に貯留された汚水の水位を計測する水位計と、水位計で計測された水位がポンプ起動水位に達すると何れかのポンプを起動して汚水を流出管に排水し、水位がポンプ停止水位に達すると当該ポンプを停止する汚水搬送制御を実行する制御部とを備えている汚水搬送ポンプ装置の異常検出装置等に関する。
【背景技術】
【０００２】
汚水搬送ポンプ装置の一例であるマンホールポンプ装置には、通常２台のポンプが設置され、汚水搬送制御の度にそれらのポンプ装置が交互に運転されている。
【０００３】
従来、複数のポンプの何れかに閉塞等の異常が発生して排水能力が変化しても、その事実を把握することができないために、ポンプの排水能力の低下に起因して貯水部、即ちマンホールからの溢流を招き、或いは閉塞等の異常が発生したポンプの運転時間が他のポンプの運転時間より異常に長くなり、双方のポンプ寿命がアンバランスになるという問題があった。
【０００４】
特許文献１には、このような問題を解決するために、ポンプ場における複数のポンプにより排出すべき所定時間毎の積算流入量を各ポンプの前記所定時間内の運転時間で除した値を各ポンプの平均的排水能力として時系列データで管理する手段と、その時系列データとして管理される各ポンプの平均的排水能力が予め設定されている排水能力範囲を越えたか否かを判定する手段と、複数のポンプ各々の平均的排水能力が設定排水能力範囲を越えたときに警報を発する手段とを備えているポンプ場の監視システムが提案されている。
【０００５】
このような監視システムでは、ポンプ場に備えられている複数のポンプそれぞれの平均的排水能力が時系列データとして管理され、ポンプ内部の詰まり等の異常事態の発生に伴い各ポンプの平均的排水能力が変化して、予め設定されている排水能力範囲を超えたときに異常と判定される。
【先行技術文献】
【特許文献】
【０００６】
【特許文献１】特開２００１−３４３３８号公報
【発明の概要】
【発明が解決しようとする課題】
【０００７】
しかし、上述した従来の異常判定装置では、２台のポンプの何れからでも排水される流出管等の汚水搬送管そのものに閉塞等の問題が発生している場合や、マンホールにある程度の量の不明水が流入する場合に、ポンプが詰まっていなくても平均的排水能力が予め設定されている排水能力範囲を超えるとポンプの異常と判定されるという問題があった。
【０００８】
本発明の目的は、上述した問題に鑑み、ポンプの固有の系統または共通の系統の異常の発生の有無を正確に判定できる異常検出装置、汚水搬送ポンプ装置及び監視装置を提供する点にある。
【課題を解決するための手段】
【０００９】
上述の目的を達成するため、本発明による異常検出装置の第一の特徴構成は、特許請求の範囲の請求項１に記載した通り、流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部とを備えている汚水搬送ポンプ装置の異常検出装置であって、各ポンプの運転時の特性値を記憶する記憶部と、前記記憶部に記憶された特性値から所定起動回数当りの平均特性値を算出して、各ポンプの平均特性値の比較結果に基づいてポンプの固有の系統または共通の系統の異常の有無を判定する異常判定部とを備えている点にある。
【００１０】
異常判定部によって、記憶部に経時的に記憶された各ポンプの運転時の特性値の所定起動回数当りの平均特性値が算出され、各ポンプの平均特性値が比較される。例えば、各ポンプの平均特性値が大きく異なっていれば、何れかのポンプ固有の系統の異常であると判定され、各ポンプの平均特性値がほぼ同等であれば各ポンプ固有の系統に異常はなく、その値が基準値より大きな値であれば、他の要因による異常であると判定されるようになる。
【００１１】
同第二の特徴構成は、同請求項２に記載した通り、上述の第一の特徴構成に加えて、前記異常判定部は、各ポンプの平均特性値の差分が所定の差分閾値を超える場合に、平均特性値が大きいポンプ固有の系統に異常が発生していると判定する点にある。
【００１２】
各ポンプの平均特性値の差分が所定の差分閾値を超える場合には、異常判定部によって、何れかのポンプ固有の系統に異常が発生していると判定され、平均特性値が大きいポンプ固有の系統に詰まりや漏れが発生していると判定される。
【００１３】
同第三の特徴構成は、同請求項３に記載した通り、上述の第二の特徴構成に加えて、前記異常判定部は、何れかのポンプ固有の系統に異常が発生していると判定すると、当該異常判定情報を前記制御部に出力する点にある。
【００１４】
異常判定部から制御部に出力される異常判定情報によって、異常が発生していると判定されたポンプ固有の系統が判別されるようになる。その結果、制御部は異常状態であっても適切に汚水搬送制御を行なうことができるようになる。例えば、ポンプ固有の系統に異常があると判定されたポンプ以外のポンプを用いて汚水搬送制御が行われると、貯水部からの溢流事故等が未然に回避される。
【００１５】
同第四の特徴構成は、同請求項４に記載した通り、上述の第一から第三の何れかの特徴構成に加えて、前記異常判定部は、各ポンプの平均特性値が全て所定の平均特性閾値を超える場合に、各ポンプ共通の系統に異常が発生していると判定する点にある。
【００１６】
各ポンプの平均特性値が全て所定の平均特性閾値を超える場合には、異常判定部によって、各ポンプ固有の系統に異常はなく、その他の要因による異常であると判定される。例えば、各ポンプ共通の汚水搬送管の漏洩や、貯水部にある程度の量の不明水が流入している可能性があると判定することが可能になり、異常の原因特定及びその対策が容易になる。
【００１７】
同第五の特徴構成は、同請求項５に記載した通り、流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部とを備え、共通の汚水搬送管の上流から下流に沿って複数設置された汚水搬送ポンプ装置の異常検出装置であって、各ポンプの運転時の特性値を記憶する記憶部と、前記記憶部に記憶された特性値から所定起動回数当りの平均特性値を算出して、異なる汚水搬送ポンプ装置に設置された各ポンプの平均特性値の比較結果に基づいて異なる汚水搬送ポンプ装置間でポンプの固有の系統または共通の系統の異常の有無を判定する異常判定部とを備えている点にある。
【００１８】
共通の汚水搬送管の上流から下流に沿って複数の汚水搬送ポンプ装置が設置されている場合、例えば複数の汚水搬送管が合流する合流点より上流側の一本の汚水搬送管に沿って設置されている複数の汚水搬送ポンプ装置や、合流点より下流側の一本の汚水搬送管に沿って設置されている複数の汚水搬送ポンプ装置では、各汚水搬送ポンプ装置から搬送される汚水量に大きな変動が無いと想定される。
【００１９】
そのような条件下では、異なる汚水搬送ポンプ装置に設置された各ポンプの平均特性値を比較することにより、第一の特徴構成と同様に、例えば、各ポンプの平均特性値が大きく異なっていれば、何れかのポンプ固有の系統の異常であると判定され、各ポンプの平均特性値がほぼ同等であれば各ポンプ固有の系統に異常はなく、その値が基準値より大きな値であれば、他の要因による異常であると判定されるようになる。
【００２０】
同第六の特徴構成は、同請求項６に記載した通り、上述の第五の特徴構成に加えて、前記異常判定部は、異なる汚水搬送ポンプ装置間で各ポンプの平均特性値の差分が所定の差分閾値を超える場合に、平均特性値が大きいポンプ固有の系統に異常が発生していると判定する点にある。
【００２１】
また、第二の特徴構成と同様に、異なる汚水搬送ポンプ装置間で各ポンプの平均特性値の差分が所定の差分閾値を超える場合には、異常判定部によって、何れかのポンプ固有の系統に異常が発生していると判定され、平均特性値が大きいポンプ固有の系統に詰まりや漏れが発生していると判定される。
【００２２】
同第七の特徴構成は、同請求項７に記載した通り、上述の第六の特徴構成に加えて、前記異常判定部は、何れかのポンプ固有の系統に異常が発生していると判定すると、異常判定された汚水搬送ポンプ装置の制御部に当該異常判定情報を出力する点にある。
【００２３】
第三の特徴構成と同様に、異常判定部から制御部に出力される異常判定情報によって、異常が発生していると判定された汚水搬送ポンプ装置のポンプ固有の系統が判別されるようになる。その結果、制御部は異常状態であっても適切に汚水搬送制御を行なうことができるようになる。例えば、固有の系統に異常があると判定されたポンプと同じ汚水搬送ポンプ装置の中の別のポンプを用いて汚水搬送制御が行われると、貯水部からの溢流事故等が未然に回避される。
【００２４】
同第八の特徴構成は、同請求項８に記載した通り、上述の第五から第七の何れかの特徴構成に加えて、前記異常判定部は、各ポンプの平均特性値が全て所定の平均特性閾値を超える場合に、各ポンプ共通の系統に異常が発生していると判定する点にある。
【００２５】
各ポンプの平均特性値の全てが所定の平均特性閾値を超える場合には、異常判定部によって、各ポンプ固有の系統に異常はなく、その他の要因による異常であると判定される。例えば、各ポンプ共通の汚水搬送管の漏洩や、貯水部にある程度の量の不明水が流入している可能性があると判定することが可能になり、異常の原因特定及びその対策が容易になる。例えば、２基の汚水搬送ポンプ装置に各２台のポンプが設置されている場合には、４台のポンプ装置全てが所定の平均特性閾値を超える場合が該当する。
【００２６】
同第九の特徴構成は、同請求項９に記載した通り、上述の第五から第八の何れかの特徴構成に加えて、前記異常判定部は、一の汚水搬送ポンプ装置の各ポンプの平均特性値が全て所定の平均特性閾値未満であり、一の汚水搬送ポンプ装置の下流側または上流側の汚水搬送ポンプ装置の各ポンプの平均特性値が全て所定の平均特性閾値を超える場合に、上流側のポンプ共通の系統の始点から下流側のポンプ共通の系統の終点までの何処かの共通の系統で異常が発生していると判定する点にある。
【００２７】
例えば、上流側の汚水搬送ポンプ装置の各ポンプの平均特性値が全て所定の平均特性閾値未満で、下流側の汚水搬送ポンプ装置の各ポンプの平均特性値が全て所定の平均特性閾値を超える場合には、両汚水搬送ポンプ装置間のどこかで不明水が流入しているか、若しくは下流側の各ポンプ共通の系統に漏水や閉塞等の異常が発生していると判定でき、下流側の汚水搬送ポンプ装置の各ポンプの平均特性値が全て所定の平均特性閾値未満で、上流側の汚水搬送ポンプ装置の各ポンプの平均特性値が全て所定の平均特性閾値を超える場合には、上流側の汚水搬送ポンプ装置の各ポンプ共通の系統に漏水や閉塞等の異常が発生していると判定できる。
【００２８】
同第十の特徴構成は、同請求項１０に記載した通り、上述の第一から第九の何れかの特徴構成に加えて、前記特性値が、ポンプ運転時間またはポンプ駆動電流である点にある。
【００２９】
異常の有無の判定に用いる特性値として、ポンプ運転時間またはポンプ駆動電流が好適に用いられる。何れか一方の特性値のみ用いてもよく、双方の特性値を用いてもよい。例えば、ポンプに詰まりが生じると、排水量が低下して同じ排水量であっても正常なポンプよりもポンプ運転時間が長くなる。また、負荷も高くなってポンプ駆動電流が増す。これらの特性値によってポンプの固有の系統または共通の系統の異常判定を適切に行なうことができるようになる。
【００３０】
本発明による汚水搬送ポンプ装置の特徴構成は、同請求項１１に記載した通り、上述の第一から第四の何れかの特徴構成を備えた異常検出装置が組み込まれている点にある。
【００３１】
汚水搬送ポンプ装置に異常検出装置が組み込まれていると、各汚水搬送ポンプ装置で適切に異常の有無が判定できるようになる。
【００３２】
本発明による監視装置の特徴構成は、同請求項１２に記載した通り、流入管から流入した汚水を貯留する貯水部と、前記貯水部に貯留された汚水を流出管に排水する複数台のポンプと、前記貯水部に貯留された汚水の水位を計測する水位計と、前記水位計で計測された水位がポンプ起動水位に達すると何れかのポンプを起動して汚水を前記流出管に排水し、水位がポンプ停止水位に達すると当該ポンプを停止する汚水搬送制御を実行する制御部と、前記制御部による制御情報を外部に送信する送信部を備えている汚水搬送ポンプ装置に対して、前記送信部から送信された制御情報を受信する受信部を備え、前記受信部で受信された制御情報に基づいて汚水搬送ポンプ装置を監視する監視装置であって、上述の第一から第十の何れかの特徴構成を備えた異常検出装置が組み込まれ、前記受信部で受信された制御情報に含まれる各ポンプの運転時の特性値が前記記憶部に記憶されるように構成されている点にある。
【００３３】
地域に点在する複数の汚水搬送ポンプ装置から送信される制御情報に基づいて、各汚水搬送ポンプ装置の動作状況を集中管理できる監視装置に異常検出装置が組み込まれると、各汚水搬送ポンプ装置に異常検出装置を組み込まなくても、制御情報に含まれる各ポンプの運転時の特性値に基づいて、監視装置側で一括して複数の汚水搬送ポンプ装置のポンプの固有の系統または共通の系統の異常等を正確且つ適切に判定できるようになる。
【発明の効果】
【００３４】
以上説明した通り、本発明によれば、ポンプの固有の系統または共通の系統の異常の発生の有無を正確に判定できる異常検出装置、汚水搬送ポンプ装置及び監視装置を提供することができるようになった。
【図面の簡単な説明】
【００３５】
【図１】汚水搬送路の概略図
【図２】本発明による異常検出装置の第１の実施形態の概略図
【図３】本発明による異常検出装置の第１の実施形態のブロック図
【図４】正常なポンプと異常が発生しているポンプそれぞれの運転時間と水位との関係を示すグラフ
【図５】本発明による異常検出装置の異常判定処理のフローチャート
【図６】本発明による異常検出装置を備えたマンホールポンプ装置における排水制御のフローチャート
【図７】本発明による異常検出装置の第２の実施形態の概略図
【図８】本発明による異常検出装置の第２の実施形態のブロック図
【図９】本発明による異常検出装置の第３の実施形態の概略図
【発明を実施するための形態】
【００３６】
以下に、汚水搬送ポンプ装置としてのマンホールポンプ装置を例にして、本発明による異常検出装置の第１の実施形態を説明する。第１の実施形態は、異常検出装置が汚水搬送ポンプ装置に組み込まれた態様である。
【００３７】
図１には、下流側ほど下方に傾斜する傾斜姿勢で地中に埋設された汚水搬送管１１０〜１１２と、汚水搬送管１１０〜１１２に沿って点在する複数のマンホールポンプ装置１０１〜１０７とを含む自然流下式の汚水搬送システム１００が示されている。
【００３８】
図１では、２系統の汚水搬送管１１０，１１１がマンホールポンプ装置１０５で合流し、その後１系統の汚水搬送管１１２によって汚水処理場等に搬送される場合が示されている。
【００３９】
図２には、各マンホールポンプ装置１０１〜１０７と同様のマンホールポンプ装置１０が示されている。マンホールポンプ装置１０は、上流側の汚水流入管１１から流入した汚水を貯留する貯水部としてのマンホール１２と、マンホール１２に貯留された汚水を下流側の汚水流出管１３に圧送する２台のポンプ１４，１６と、マンホール１２に貯留された汚水の水位を計測する水位計１８，１９を備えている。
【００４０】
第１ポンプ１４の吐出し曲管１５ａには第１揚水管１５ｂ、第１曲管１５ｃ、第１水平管１５ｄがそれぞれフランジ接続され、第１水平管１５ｄがヘッダー管１３ａを介して汚水流出管１３にフランジ接続されている。符合１５ｅは汚水の逆流を防止する逆止弁である。
【００４１】
第２ポンプ１６の吐出し曲管１７ａには第２揚水管１７ｂ、第２曲管１７ｃがそれぞれフランジ接続され、第２曲管１７ｃがヘッダー管１３ａを介して汚水流出管１３にフランジ接続されている。符合１７ｅは汚水の逆流を防止する逆止弁である。
【００４２】
第１ポンプ１４、吐出し曲管１５ａ、第１揚水管１５ｂ、第１曲管１５ｃ、第１水平管１５ｄが、第１ポンプ１４固有の送水系統（以下、単に「系統」と記す。）となり、第２ポンプ１６、吐出し曲管１７ａ、第２揚水管１７ｂ、第２曲管１７ｃが、第２ポンプ１６固有の系統となり、上述の固有の系統を除いたヘッダー管１３ａ及び汚水流出管１３から下流側の汚水流入管１１までの汚水搬送管を含む系統、及びマンホール１２が、第１ポンプ１４及び第２ポンプ１６共通の系統となる。
【００４３】
投込圧力式または気泡式の水位計１８がマンホール１２の底部に設置されている。当該水位計１８によってマンホール１２に貯留される汚水の水位が連続的に検出される。さらにフロート式の水位計１９が、異常高水位ＨＨＷＬを検出するバックアップ用の水位計として設置されている。
【００４４】
マンホール１２の近傍には、ポンプ１４，１６を制御してマンホール１２に溜まった汚水を汚水流出管１３に圧送する汚水搬送制御を実行する制御部２１を含む制御盤２０が収容された制御盤装置２００が設置されている。
【００４５】
図３に示すように、制御盤２０には、制御部２１、記憶部２２、異常判定部２３、通信部２４が設置されている。記憶部２２には半導体メモリ（記憶素子）が組み込まれ、制御部２１からの制御情報（後述の特性値を含む稼働情報）、水位計１８，１９からの水位情報、異常判定部２３からの異常判定情報等が半導体メモリ（記憶素子）に記憶される。通信部２４は、記憶部２２に記憶された各種情報を遠隔の監視装置４０に送信する送信部と、監視装置４０からの制御指令を受信する受信部を備えている。記憶部２２及び異常判定部２３によって本発明の異常検出装置３０が構成されている。
【００４６】
監視装置４０は、ファクシミリ、携帯電話、スマートフォン、タブレットコンピュータ、パーソナルコンピュータ等で構成され、それぞれに合致した態様の情報が送受信可能に構成されている。従って、通信部２４と監視装置４０との通信形態は特に制限されるものではなく、有線回線または無線回線の何れであってもよく、専用回線または公衆回線の何れであってもよい。例えばインターネット経由の電子メールとして送受信される場合もある。
【００４７】
制御盤２０と各ポンプ１４，１６は交流の給電線Ｌ１，Ｌ２で接続され、制御盤２０と水位計１８，１９は信号線Ｓで接続されている。
【００４８】
制御部２１は、水位計１８で計測された水位が所定のポンプ起動水位ＨＷＬに達したことを検知するとポンプ１４，１６のうち何れか一方のポンプ１４を起動するために給電線Ｌ１から給電制御し、水位がポンプ起動水位ＨＷＬより低位のポンプ停止水位ＬＷＬに達したことを検知すると給電を停止して当該一方のポンプ１４を停止する。
【００４９】
制御部２１は、その後再び水位がポンプ起動水位ＨＷＬに達したことを検知すると他方のポンプ１６を起動するために給電線Ｌ２から給電制御し、ポンプ停止水位ＬＷＬに達したことを検知すると給電を停止して当該ポンプ１６を停止する。つまり、制御部２１はポンプ１４，１６を交互に運転制御する。
【００５０】
さらに、制御部２１は、水位計１８の故障等によりポンプ起動水位ＨＷＬが検知できない場合や、集中豪雨によりポンプ１台の排水能力を上回るような大量の雨水がマンホール１２に流入し、異常高水位ＨＨＷＬに達したことが水位計１９で計測されたことを検知すると、２台のポンプ１４，１６を同時に運転する。
【００５１】
制御部２１は、例えば１分間隔で水位計１８，１９により検知された水位情報を記憶部２２に記憶するとともに、１時間当りの各ポンプ１４，１６の運転回数及び１回の運転時間等の稼動情報を記憶部２２に記憶する。
【００５２】
異常判定部２３は、ポンプ１４，１６の過負荷状態の発生／回復を示すポンプ負荷情報、水位計１９により検知される異常高水位の発生／回復を示す異常高水位情報、水位計１８，１９の故障の発生／回復を示すセンサ故障情報を示すコードデータをイベント情報として記憶部２２に記憶する。
【００５３】
例えば、過熱状態を検知して自動的に通電を遮断する安全スイッチが設けられたポンプ１４，１６の場合、異常判定部２３は、制御部２１から運転信号が出力されているにもかかわらず、給電線に交流が流れていないことを検知すると過負荷状態であると判定するように構成されている。
【００５４】
例えば、過熱状態を検知する温度センサがポンプ１４，１６に組み込まれている場合、異常判定部２３は、温度センサの計測情報を検知して、その値が異常判定閾値温度よりも高い場合に過負荷状態であると判定するように構成されている。
【００５５】
例えば、異常判定部２３は、所定時間連続して水位計１８の計測情報が変化しない場合に、水位計１８が故障していると判定するように構成されている。
【００５６】
このような異常判定部２３を設けると、ポンプの起動後に起動水位以下になるまでのポンプ運転時間が設定時間よりも長い吸込閉塞の発生／回復を示すポンプ閉塞異常や、設定時間よりもポンプ運転時間が長く、水位が起動水位以上に維持されるエアロックの発生／回復を示すエアロック異常を検知することも可能になる。
【００５７】
異常判定部２３は、このような異常の発生、解消を判定すると、対応する異常情報を記憶部２２に記憶するとともに、通信部２４を介して遠隔の監視装置４０に異常情報を送信するように構成されている。
【００５８】
従って、監視装置４０で異常方法を受信した管理者は、必要なメンテナンスの準備をして迅速に対処できるようになる。
【００５９】
しかし、異常判定部２３が、ポンプ閉塞異常やエアロック異常を個別のポンプ１４，１６毎に判断すると、正確性に欠ける虞がある。例えば、第１ポンプ１４及び第２ポンプ１６共通の系統となる汚水流出管１３そのものに問題が発生している場合や、マンホールにある程度の量の不明水が流入する場合に、ポンプが詰まっていなくても平均的排水能力が予め設定されている排水能力範囲を超えるとポンプの異常と判定されるためである。
【００６０】
そこで、本発明による異常検出装置３０に備えた異常判定部２３は、記憶部２２に記憶された各ポンプ１４，１６の運転時の特性値から所定起動回数当りの平均特性値を算出して、各ポンプ１４，１６の平均特性値の比較結果に基づいてポンプの固有の系統または共通の系統の異常の有無を判定する機能が設けられている。
【００６１】
各ポンプ１４，１６の運転時の特性値として、ポンプ運転時間またはポンプ駆動電流が好適に用いられる。これは、ポンプ運転時間がポンプの能力を、ポンプ駆動電流がポンプの負荷状態を表す指標であるためである。以下では、ポンプ駆動時間を特性値に用いた例を説明する。
【００６２】
図４には、水位計１８を介して制御部２１で検知される水位の時間推移と、それに伴って制御部２１で制御されるポンプ１４，１６の運転状態が示されている。
【００６３】
時刻ｔ１でポンプ起動水位ＨＷＬに達すると第１ポンプ１４が起動されてマンホール１２に貯留された汚水が下流側に送水され、ポンプ停止水位ＬＷＬに達すると第１ポンプ１４は停止される。
【００６４】
時刻ｔ２でポンプ起動水位ＨＷＬに達すると第２ポンプ１６が起動されてマンホール１２に貯留された汚水が下流側に送水され、ポンプ停止水位ＬＷＬに達すると第２ポンプ１６は停止される。
【００６５】
両ポンプ１４，１６が正常であり不明水の流入がない場合、ポンプ起動水位ＨＷＬからポンプ停止水位ＬＷＬまでのポンプ運転時間は、ほぼ計画時または定常稼働時の汚水搬送水量に対応した時間となる。
【００６６】
しかし、このような交互運転が繰り返されて、時刻ｔ４でポンプ起動水位ＨＷＬに達したときに起動される第２ポンプ１６にポンプ閉塞異常が発生していると、ポンプ停止水位ＬＷＬに達して第２ポンプ１６が停止されるまでの時間が、計画時または定常稼働時の汚水搬送水量に対応した時間よりも著しく長くなる。
【００６７】
第２ポンプ１６にポンプ閉塞異常が発生していない場合でも、第２ポンプ１６固有の系統である吐出し曲管１７ａ、第２揚水管１７ｂ、第２曲管１７ｃ等にクラックが入り、水漏れが発生しているような場合にも同様の現象が発生する。
【００６８】
さらに、第２ポンプ１６を含めて第２ポンプ１６固有の系統が正常であっても、ヘッダー管１３ａ等の第１ポンプ１４及び第２ポンプ１６共通の系統となる汚水搬送管にクラックが入り、マンホール１２内へ水漏れが発生または汚水搬送管が閉塞しているような場合や、ある程度の水量の不明水がマンホール１２に流入している場合にも、同様の現象が発生する虞がある。
【００６９】
そして、このような場合にも、異常判定部２３によって第２ポンプ１６にポンプ閉塞異常が発生していると判定されると、適切なメンテナンスに支障を来す虞がある。同様に異常判定部２３によって第１ポンプ１４にポンプ閉塞異常が発生していると判定される虞もある。
【００７０】
そこで、異常判定部２３は、ポンプ１４，１６のそれぞれの直近の所定回数の運転時間から平均運転時間を算出し、双方を比較することによって異常判定処理を行なうように構成されている。
【００７１】
具体的には、異常判定部２３は、ポンプ１４，１６の直近の４回の運転時間の平均運転時間の差分を算出し、差分の絶対値が所定の差分閾値Ｔｔｈを超えている場合に、平均運転時間が長いポンプ固有の系統に異常が発生していると判定する。固有の系統の異常には、ポンプの閉塞や経年劣化による送水性能の低下ばかりでなく、固有の系統を構成する管路の腐食やクラックによる漏水や閉塞等の異常が含まれる。尚、ここでポンプ固有の系統とは、ポンプ本体を含む、そのポンプにのみつながる、流入、流出する配管やバルブなどを意味し、共通の系統とは、各ポンプが共通に利用する貯水槽や、流入、流出に利用する配管、バルブを意味している。
【００７２】
直近の平均運転時間を算出する回数は４回に限るものではなく、各マンホールポンプ装置で搬送される汚水量や汚水の発生時期に応じて適宜設定される値であり、数時間から十数時間の間にポンプが起動される平均的な回数で設定される。本実施形態では３〜４時間の間に８回程度ポンプが起動されるので、１台当り４回に設定されている。
【００７３】
一方、異常判定部２３は、双方の平均運転時間の差分の絶対値が所定の差分閾値以下であれば、各ポンプ固有の系統には異常が発生していないと判定し、さらに各ポンプ１４，１６の平均運転時間を所定の平均運転時間閾値ＡＶＴｔｈと比較して、各ポンプ１４，１６の平均運転時間が何れも所定の平均運転時間閾値を超える場合には、各ポンプ１４，１６共通の系統に異常が発生していると判定する。
【００７４】
共通の系統の異常には、共通の系統を構成する管路の腐食やクラックによる漏水や閉塞等の異常ばかりでなく、何らかの経路を介した不明水のマンホール１２への流入異常が含まれる。
【００７５】
尚、本実施形態では、２台のポンプ１４，１６が同時に閉塞するような異常の発生確率は極めて低く、少なくとも１台は正常稼働しているとの前提で判定しているが、各ポンプ固有の系統の双方に同様の異常が発生している場合には、これらが共通の系統の異常に含まれる場合もある。
【００７６】
上述した所定の差分閾値Ｔｔｈの値は特に限定されるものではなく適宜設定することが可能な値であり、例えば、計画時または定常稼働時の汚水搬送水量に対応した時間Ｔの１．０倍から２．０倍の値に設定することができる。
【００７７】
平均運転時間閾値ＡＶＴｔｈの値も特に限定されるものではなく適宜設定することが可能な値であり、例えば、計画時または定常稼働時の汚水搬送水量に対応した時間Ｔの２．０倍から３．０倍の値に設定することができる。
【００７８】
双方の平均運転時間の比較処理として差分処理を説明したが、広義には差分処理に比率処理が含まれる。つまり、双方の平均運転時間の比を算出し、その値が所定の閾値Ｔｔｈを超えるか否かに基づいて異常判定してもよい。
【００７９】
尚、異常判定部２３は、各ポンプ１４，１６が交互運転される場合に限って、双方の平均運転時間を比較するように構成され、異常高水位ＨＨＷＬが検知されて双方のポンプ１４，１６を同時に運転するような場合は対象外となる。
【００８０】
このようにして、何れか一方のポンプ固有の系統の異常であるか、双方のポンプ共通の系統の異常であるかの異常情報が通信部２４を介して遠隔の監視装置４０に送信されることによって、適切なメンテナンスの準備が可能になる。
【００８１】
また、異常判定部２３で判定された異常情報、つまり何れか一方のポンプ固有の系統の異常であるか、双方のポンプ共通の系統の異常であるかの異常情報が記憶部２２を介して制御部２１に出力される。
【００８２】
制御部２１は、何れか一方のポンプ固有の系統に異常が発生したことを認識すると、その後、ポンプ１４，１６の交互運転を中止して、正常なポンプ１台のみで汚水搬送制御を行なうことで、マンホール１２からの溢流事故を未然に回避する。
【００８３】
但し、このような場合でも、制御部２１は、水位計１９によって異常高水位ＨＨＷＬが測定されたことを検知すると、異常と判定されたポンプも含めて同時運転制御するように構成されている。
【００８４】
図５には異常判定部２３により実行される異常判定処理の手順が示されている。異常判定部２３は、ポンプの運転状態を判定し（Ｓ１）、ポンプの運転が終了していれば（Ｓ１，Ｙ）、ポンプ１４，１６のそれぞれの直近の過去４回の運転時間の平均運転時間ｔ１４，ｔ１６を算出し（Ｓ２）、更に平均運転時間ｔ１４，ｔ１６の差分ｔｄを算出する（Ｓ３）。
【００８５】
差分ｔｄの絶対値が所定の差分閾値を超えており（Ｓ４，Ｙ）、ｔ１４がｔ１６より大きい場合（Ｓ５，Ｙ）、ポンプ１４固有の系統に異常が発生していると判定する（Ｓ７ａ）。逆に、ｔ１６がｔ１４より大きい場合（Ｓ５，Ｎ）、ポンプ１６固有の系統に異常が発生していると判定する（Ｓ７ｂ）。
【００８６】
また、差分ｔｄの絶対値が所定の差分閾値以下であり（Ｓ４，Ｎ）、ｔ１４及びｔ１６がともに所定の平均時間閾値を超えている場合（Ｓ６，Ｙ）、ポンプ１４，１６それぞれの固有の系統以外の部分に異常が発生していると判定する（Ｓ７ｃ）。そしてｔ１４とｔ１６のうち、少なくとも一方が所定の平均時間閾値以下である場合（Ｓ６，Ｎ）、マンホールポンプ装置１０に異常は発生していないと判定する（Ｓ７ｄ）。
【００８７】
判定結果は記憶部２２に記憶され、通信部２４を介して遠隔の監視装置４０に通報されるとともに制御部２１に出力される（Ｓ８）。異常判定処理はポンプ１４若しくは１６の運転が終了する毎に実行され、ポンプ１４及び１６の異常を的確に判定することができるようになる。
【００８８】
図６には、制御部２１により実行される汚水搬送処理の手順が示されている。制御部２１は水位がＨＷＬに達すると（Ｓ１１，Ｙ）、ポンプ１４，１６が正常か否かを判定し（Ｓ１２）、一方のポンプに異常が発生している場合には（Ｓ１２，Ｙ）、正常なポンプを起動する（Ｓ１３ａ）。ステップＳ１２で、双方のポンプに異常が発生していないと判定されると（Ｓ１２，Ｎ）、前回起動しなかったポンプを起動する（Ｓ１３ｂ）。そして、ポンプを起動すると同時に当該ポンプの運転時間を測定するタイマーを作動させる（Ｓ１４）。
【００８９】
その後水位がＬＷＬに達すると（Ｓ１５，Ｙ）、運転中のポンプを停止し（Ｓ１６）、タイマーにより測定した運転時間を記憶部２２に記憶し（Ｓ１７）、その後タイマーをリセットし（Ｓ１８）、ステップＳ１１に戻る。
【００９０】
このように、異常と判定されたポンプがなければポンプ１４，１６を交互に運転させ、何れかのポンプが異常と判定されていれば正常なポンプだけを運転させて汚水搬送制御を実行する。
【００９１】
次に、本発明による異常検出装置の第２の実施形態を説明する。第２の実施形態は、上述の異常検出装置３０が遠隔の監視装置４０に組み込まれた態様である。
【００９２】
図７に示すように、マンホール１２の近傍に、ポンプ１４，１６を制御してマンホール１２に溜まった汚水を汚水流出管１３に圧送する汚水搬送制御を実行する制御部２１を含む制御盤２０が収容された制御盤装置２００が設置されている。マンホールポンプ装置１０の構成は図２と同様であり、同じ機能を実現する構成要素には同一の符号が付されている。
【００９３】
図８に示すように、制御盤２０には、制御部２１、記憶部２２、通信部２４が設置されている。遠隔の監視装置４０は汎用のパーソナルコンピュータで構成され、通信部４１、記憶部４２、監視部４３、異常判定部４４の各機能ブロックを備えている。
【００９４】
各マンホール装置１０の制御情報は、通信部２４から監視装置４０に備えた通信部４１に送信されて記憶部４２に記憶される。通信部４１も送信部と受信部を備えて各マンホール装置１０との間で双方向に通信可能に構成されている。
【００９５】
監視部４３は、各マンホール装置１０から受信した制御情報に基づいて、各マンホール装置１０の稼働状態を解析する演算ブロックであり、その稼働状態を複数の管理者に報知するサーバと接続されている。各管理者は、サーバにアクセスして管理下のマンホールポンプ装置の稼働状態を確認できるように構成されている。
【００９６】
異常判定部４４は、記憶部４２に記憶された各種の制御情報に基づいて各種の異常を判定する演算ブロックで、異常情報は監視部４３を介してサーバに出力されるように構成されている。
【００９７】
例えば、異常判定部４４は、ポンプ１４，１６の過負荷状態の発生／回復を示すポンプ負荷情報、水位計１９により検知される異常高水位の発生／回復を示す異常高水位情報、水位計１８，１９の故障の発生／回復を示すセンサ故障情報を示すコードデータに基づいて対応する異常を認識して、当該異常情報をサーバに出力する。
【００９８】
当該異常判定部４４は、マンホールポンプ装置１０毎に、各ポンプ１４，１６のそれぞれの直近の所定回数の運転時間から平均運転時間を算出し、双方を比較することによって異常判定処理を行なうように構成されている。
【００９９】
本実施形態でも異常判定部４４は、ポンプ１４，１６の直近の４回の運転時間の平均運転時間の差分を算出し、差分の絶対値が所定の差分閾値Ｔｔｈを超えている場合に、平均運転時間が長いポンプ固有の系統に異常が発生していると判定する。
【０１００】
一方、異常判定部４４は、双方の平均運転時間の差分の絶対値が所定の差分閾値以下であれば、各ポンプ固有の系統には異常が発生していないと判定し、さらに各ポンプ１４，１６の平均運転時間を所定の平均運転時間閾値ＡＶＴｔｈと比較して、各ポンプ１４，１６の平均運転時間が何れも所定の平均運転時間閾値を超える場合には、各ポンプ１４，１６共通の系統に異常が発生していると判定する。
【０１０１】
即ち、記憶部４２及び異常判定部４４で異常検出装置が構成されている。このように、本実施形態によれば、各マンホールポンプ装置１０に個別に異常検出装置を組み込む必要がないので、各マンホールポンプ装置１０を安価に構成できるとともに、遠隔の監視装置４０で複数のマンホールポンプ装置１０の異常を検出することができる。
【０１０２】
次に、本発明による異常検出装置の第３の実施形態を説明する。第３の実施形態は、共通の汚水搬送管の上流から下流に沿って複数設置された汚水搬送ポンプ装置の異常検出装置であって、各ポンプの運転時の特性値から所定起動回数当りの平均特性値を算出して、異なる汚水搬送ポンプ装置に設置された各ポンプの平均特性値の比較結果に基づいて異なる汚水搬送ポンプ装置間でポンプの固有の系統または共通の系統の異常の有無を判定する異常判定部を備えた態様である。
【０１０３】
共通の汚水搬送管の上流から下流に沿って複数設置された汚水搬送ポンプ装置とは、図１に示す汚水搬送管１１０に沿って設置されたマンホールポンプ装置１０１，１０２をいい、汚水搬送管１１１に沿って設置されたマンホールポンプ装置１０３，１０４をいい、汚水搬送管１１２に沿って設置されたマンホールポンプ装置１０５，１０６，１０７をいう。つまり、汚水の搬送経路で基本的に搬送汚水量が略一定となる経路が、共通の汚水搬送管となる。また、搬送汚水量が略一定の場合、貯水槽やポンプ、配管は略同一となるため平均特性値も略同一となり、比較が可能となる。
【０１０４】
図９に示すように、共通の汚水搬送管１１０の上流から下流に沿って各マンホール１０１，１０２の近傍に、制御部２１１，２１２を含む制御盤２０１，２０２が収容された制御盤装置２００１，２００２が設置されている。マンホールポンプ装置１０１及び１０２の構成は図２または図７に示されたマンホールポンプ装置１０と同様であり、同じ機能を実現する構成要素には同一の符号が付されている。
【０１０５】
制御盤２０１，２０２には、それぞれ制御部２１ａ，２１ｂ、記憶部２２ａ，２２ｂ、通信部２４ａ，２４ｂが設置されている。図８と同様に、遠隔の監視装置４０は汎用のパーソナルコンピュータで構成され、通信部４１、記憶部４２、監視部４３、異常判定部４４の各機能ブロックを備えている。監視装置４０構成も図８を参照した説明と同様である。
【０１０６】
各マンホール装置１０１，１０２の制御情報は、通信部２４ａ，２４ｂから監視装置４０に備えた通信部４１に送信されて記憶部４２に記憶される。通信部４１も送信部と受信部を備えて各マンホール装置１０１，１０２との間で双方向に通信可能に構成されている。
【０１０７】
当該異常判定部４４は、マンホールポンプ装置１０１，１０２毎に、各ポンプ１４ａ，１６ａ，１４ｂ，１６ｂのそれぞれの直近の所定回数の運転時間から平均運転時間を算出し、双方を比較することによって異常判定処理を行なうとともに、異なるマンホールポンプ装置１０１，１０２に設置された各ポンプの平均特性値の比較結果に基づいて異なるマンホールポンプ装置１０１，１０２間でポンプの固有の系統または共通の系統の異常の有無を判定する。
【０１０８】
具体的に、異常判定部４４は、ポンプ１４ａ，１６ａまたはポンプ１４ｂ，１６ｂの直近の４回の運転時間の平均運転時間の差分を算出し、差分の絶対値が所定の差分閾値Ｔｔｈを超えている場合に、平均運転時間が長いポンプ固有の系統に異常が発生していると判定する。
【０１０９】
そして、異常判定部４４は、双方の平均運転時間の差分の絶対値が所定の差分閾値以下であれば、各ポンプ固有の系統には異常が発生していないと判定し、さらに各ポンプ１４ａ，１６ａまたはポンプ１４ｂ，１６ｂの平均運転時間を所定の平均運転時間閾値ＡＶＴｔｈと比較して、各ポンプ１４ａ，１６ａまたはポンプ１４ｂ，１６ｂの平均運転時間が何れも所定の平均運転時間閾値を超える場合には、各ポンプ１４ａ，１６ａまたはポンプ１４ｂ，１６ｂ共通の系統に異常が発生していると判定する。
【０１１０】
また、異常判定部４４は、ポンプ１４ａ，１６ｂ及び／またはポンプ１４ｂ、１６ａの直近の４回の運転時間の平均運転時間の差分を算出し、差分の絶対値が所定の差分閾値Ｔｔｈを超えている場合に、平均運転時間が長いポンプ固有の系統に異常が発生していると判定する。
【０１１１】
さらに、異常判定部４４は、ポンプ１４ａ，１６ｂ及び／またはポンプ１４ｂ、１６ａの直近の４回の運転時間の平均運転時間の差分を算出し、各ポンプの平均運転時間がともに所定の平均運転時間閾値ＡＶＴｔｈを超える場合に、少なくとも１つの汚水搬送ポンプ装置のポンプ固有の系統以外の部分、つまり共通の系統に異常が発生していると判定する。
【０１１２】
さらにまた、異常判定部４４は、上流側または下流側のマンホールポンプ装置１０１，１０２の各ポンプの平均運転時間がともに所定の平均運転時間閾値ＡＶＴｔｈ未満であり、下流側または上流側のマンホールポンプ装置１０１，１０２の各ポンプの平均運転時間がともに所定の平均運転時間閾値ＡＶＴｔｈを超える場合に、上流側のポンプ共通の系統の始点（貯水部への流入配管）から下流側のポンプ共通の系統の終点（ポンプ共通の流出配管）までの何処かの共通の系統で異常が発生していると判定する。
【０１１３】
例えば、上流側のマンホールポンプ装置１０１の各ポンプ１４ａ，１６ａの平均運転時間がともに所定の平均運転時間閾値未満で、下流側のマンホールポンプ装置１０２の各ポンプ１４ｂ，１６ｂの平均特性値がともに所定の平均特性閾値を超える場合には、両マンホールポンプ装置１０１，１０２間のどこかで不明水が流入しているか、若しくは下流側の各ポンプ共通の系統に漏水や閉塞等の異常が発生していると判定できる。
【０１１４】
例えば、下流側のマンホールポンプ装置１０２の各ポンプ１４ｂ，１６ｂの平均運転時間がともに所定の平均運転時間閾値未満で、上流側のマンホールポンプ装置１０１の各ポンプ１４ａ，１６ａの平均運転時間がともに所定の平均運転時間閾値を超える場合には、上流側のマンホールポンプ装置１０１の各ポンプ１４ａ，１６ａ共通の系統に漏水や閉塞等の異常が発生していると判定できる。
【０１１５】
尚、本例では各マンホールポンプ装置内に２台ある各ポンプの平均運転時間を両方とも平均運転時間閾値と比較したが、各マンホールポンプ装置内の一方のポンプの平均運転時間を平均運転時間閾値と比較してもよい。但し、両方とも比較する方が判定の精度は向上する。
【０１１６】
以上、共通の汚水搬送管１１０に沿って設置された２つのマンホールポンプ装置１０１，１０２に設置されたポンプの平均運転時間を比較する態様を説明したが、３つ以上のマンホールポンプ装置に設置されたポンプの平均運転時間をそれぞれ比較するように構成してもよい。例えば、共通の汚水搬送管１１２に沿って設置された３つのマンホールポンプ装置１０５，１０６，１０７に設置されたポンプの平均運転時間を比較して異常判定を行なってもよい。
【０１１７】
例えば、上流側及び最下流側のマンホールポンプ装置１０５，１０７の双方のポンプの平均運転時間に異常が無く、中間のマンホールポンプ装置１０６の双方のポンプの平均運転時間が平均運転時間閾値より長い場合には、中間のマンホールポンプ装置１０６の各ポンプ共通の系統に異常が発生していると判定することができ、この場合には、不明水の流入でなく、共通の系統の管路に異常が発生していると特定できる。
【０１１８】
例えば、上流側のマンホールポンプ装置１０５の双方のポンプの平均運転時間に異常が無く、下流側のマンホールポンプ装置１０６，１０７の双方のポンプの平均運転時間が何れも平均運転時間閾値より長い場合には、上流側のマンホールポンプ装置１０５から下流側のマンホールポンプ装置１０６の間に不明水が流入していると判定することも可能になる。
【０１１９】
以下、本発明の他の実施形態について説明する。
上述の実施形態ではポンプを１回運転する毎に直近の所定回数の平均運転時間に基づいて異常判定処理を実行したが、ポンプを２回以上の所定回数運転する毎に直近の所定回数の平均運転時間に基づいて異常判定処理を実行してもよく、またポンプの運転とは無関係に所定の時間周期ごとに直近の所定回数の平均運転時間に基づいて異常判定処理を実行してもよい。さらには、マンホールポンプ装置の管理者が任意のタイミングで実行するように設定することもできる。
【０１２０】
上述の実施形態では異なるマンホールポンプ装置間及び同じマンホールポンプ装置間のポンプの比較を両方行ったが、判定精度は下がるが異なるマンホールポンプ装置間の比較のみで判定を行ってもよい。
【０１２１】
上述の実施形態では異常判定時における直近の４回の平均運転時間を用いて異常判定を行ったが、ポンプの運転頻度等に応じて直近の５回以上若しくは３回以下の平均運転時間を用いてもよい。また、上述したように、異常判定部は、平均運転時間の差分以外に平均運転時間の比率に基づいて平均運転時間を比較してもよい。更に、差分を比較する際には絶対値を用いず、±で幅を持った閾値と比較してもよい。
【０１２２】
異常の有無の判定に用いる特性値として、上述の実施形態で用いたポンプ運転時間の他に、例えばポンプ駆動電流を用いることもできる。ポンプの閉塞の場合には負荷が高くなり、ポンプ駆動電流が大きくなる。また、ポンプのエアロックの場合には負荷が小さくなり、ポンプ駆動電流が小さくなる。そのためポンプの固有の系統または共通の系統の異常を適切に判定することができる。ポンプ駆動電流の測定時には、電流値が安定しないポンプ立ち上がり時のデータを除くため、ポンプ起動から所定の時間経過後に電流値の測定を開始し、ポンプを停止させるまでの間、所定の周期で電流値をサンプリングしてその平均を特性値とする。
【０１２３】
更に、１種類の特性値だけで判定するのではなく、複数種類の特性値による判定を併用してもよい。例えばポンプ運転時間とポンプ駆動電流を併用した場合、ポンプ運転時間はポンプの詰まり、不明水の流入、管路の罅による漏水の何れによっても長くなるが、ポンプ駆動電流が大きくなるのはポンプの詰まりだけなので、１種類の特性値だけで判定するよりも異常が発生した際に原因を特定しやすくなる。
【０１２４】
尚、上述の異常判定処理は、ポンプ起動後にポンプ停止水位に達するまでの時間に基づいて異常判定を行なうものであるため、ポンプ起動後にポンプ停止水位に達しない異常が発生した場合に備えて、１回当たりのポンプの運転時間に上限を設け、当該上限時間の経過迄にポンプ停止水位ＬＷＬに到達しなかった場合にエアロック異常と判定し、上述の異常判定処理を中断するように構成してもよい。
【０１２５】
この場合、制御部は、運転ポンプを停止して待機中のポンプへ切り替え、或いは待機中のポンプを含めた２台のポンプで同時運転するように構成することが好ましい。
【０１２６】
上述の実施形態では何れも２台のポンプを備えたマンホールポンプ装置に本発明の異常検出装置を設置したが、例えば中継ポンプ場のような、ポンプが３台以上設置されている汚水搬送ポンプ装置にも本発明の異常検出装置を適用することができる。
【０１２７】
上述の第１〜第３の実施形態は、それぞれ別々に説明したが、組み合わせて実施することもできる。
【０１２８】
上述した実施形態は何れも本発明の一例であり、該記載により本発明の技術的範囲が限定されるものではなく、ポンプや水位計等を始めとする各部の具体的構成、異常判定のために設定する閾値等は本発明の作用効果が奏される範囲で適宜変更設計可能であることはいうまでもない。
【符号の説明】
【０１２９】
１０：汚水搬送ポンプ装置（マンホールポンプ装置）
１１：流入管
１２：貯水部（マンホール）
１３：流出管
１４，１６：ポンプ
１８，１９：水位計
２１：制御部
２２：記憶部
２３：異常判定部
２４：送信部（通信部）
３０：異常検出装置
４０：監視装置
４１：受信部（通信部）
４２：記憶部
４３：監視部
４４：異常判定部
【図１】
2015034513.tif 000003
【図２】
2015034513.tif 000004
【図３】
2015034513.tif 000005
【図４】
2015034513.tif 000006
【図５】
2015034513.tif 000007
【図６】
2015034513.tif 000008
【図７】
2015034513.tif 000009
【図８】
2015034513.tif 000010
【図９】
2015034513.tif 000011